(57)【要約】【課題】本発明は、物体の重さを量ることができる携帯端末及び該携帯端末で物体の重さを量る方法を提供することを目的とする。【解決手段】本発明の携帯端末は、互いに向かい合っている上層部の透明導電性薄膜及び下層部の透明導電性薄膜を有する抵抗膜式タッチパネルと、物体の重力方向を検知し、抵抗膜式タッチパネルと物体の重力方向との間の角度を計算する重力感応モジュールと、抵抗膜式タッチパネルの上層部の透明導電性薄膜と下層部の透明導電性薄膜との間の接触点の接触抵抗値を検出する検出モジュールと、接触点の接触抵抗値及び抵抗膜式タッチパネルと物体の重力方向との間の角度によって、抵抗膜式タッチパネルに放置した物体の重さを計算する計算モジュールと、物体の重さを抵抗膜式タッチパネルに表示する数値表示モジュールと、を備える。本発明は、前記携帯端末で物体の重さを量る方法も提供する。【選択図】図２
2012173289.tif 000002
【特許請求の範囲】
【請求項１】
互いに向かい合っている上層部の透明導電性薄膜及び下層部の透明導電性薄膜を有する抵抗膜式タッチパネルと、
物体の重力方向を検知し、前記抵抗膜式タッチパネルと物体の重力方向との間の角度を計算する重力感応モジュールと、
前記抵抗膜式タッチパネルに加える圧力の大きさを示す、前記抵抗膜式タッチパネルの上層部の透明導電性薄膜と下層部の透明導電性薄膜との間の接触点の接触抵抗値を検出する検出モジュールと、
前記接触点の接触抵抗値及び前記抵抗膜式タッチパネルと物体の重力方向との間の角度によって、前記抵抗膜式タッチパネルに放置した物体の重さを計算する計算モジュールと、
物体の重さを前記抵抗膜式タッチパネルに表示する数値表示モジュールと、
を備えることを特徴とする携帯端末。
【請求項２】
前記計算モジュールは、異なる接触抵抗値に対応する圧力値を格納する格納ユニットと、前記接触抵抗値に対応する圧力値及び前記抵抗膜式タッチパネルと物体の重力方向との間の角度によって、物体の重さを計算する計算ユニットと、を備えることを特徴とする請求項１に記載の携帯端末。
【請求項３】
前記計算モジュールは、以下の数式によって物体の重さを計算することを特徴とする請求項２に記載の携帯端末。
Ｍ＝Ｆ/（ｇ×sinθ）
ただし、Ｍは物体の重さであり、Ｆは現在の接触抵抗値に対応する圧力値であり、θは前記抵抗膜式タッチパネル面と物体の重力方向との間の角度であり、ｇは重力加速度である。
【請求項４】
互いに向かい合っている上層部の透明導電性薄膜及び下層部の透明導電性薄膜を有する抵抗膜式タッチパネル及び重力感応モジュールを備える携帯端末に応用される物体の重さを量る方法であって、
前記抵抗膜式タッチパネルに加える圧力の大きさを示す、前記抵抗膜式タッチパネルの上層部の透明導電性薄膜と下層部の透明導電性薄膜との間の接触点の接触抵抗値を検出するステップと、
前記接触点の接触抵抗値及び前記重力感応モジュールによって計算された前記抵抗膜式タッチパネルと物体の重力方向との間の角度によって、前記抵抗膜式タッチパネルに放置した物体の重さを計算するステップと、
物体の重さを前記抵抗膜式タッチパネルに表示するステップと、
を有することを特徴とする物体の重さを量る方法。
【請求項５】
前記抵抗膜式タッチパネルに放置した物体の重さを計算する際、現在の接触抵抗値に対応する圧力値を読み取ってから、前記圧力値及び前記抵抗膜式タッチパネルと物体の重力方向との間の角度によって、物体の重さを計算することを特徴とする請求項４に記載の物体の重さを量る方法。
【請求項６】
以下の数式によって物体の重さを計算することを特徴とする請求項５に記載の物体の重さを量る方法。
Ｍ＝Ｆ/（ｇ×sinθ）
ただし、Ｍは物体の重さであり、Ｆは現在の接触抵抗値に対応する圧力値であり、θは前記抵抗膜式タッチパネル面と物体の重力方向との間の角度であり、ｇは重力加速度である。
【発明の詳細な説明】
【技術分野】
【０００１】
本発明は、携帯端末に関するものであり、特に物体の重さを量ることができる携帯端末及び該携帯端末で物体の重さを量る方法に関するものである。
【背景技術】
【０００２】
人々は日常生活で多くの買い物をする。時によっては、その商品の重さが値段を決定することがあり、消費者は商品の重さを手軽に知りたいと思うことがある。
【発明の概要】
【発明が解決しようとする課題】
【０００３】
しかし、買い物に出かけるごとに重さを量る装置を携帯することは不便である。
【０００４】
本発明の目的は、前記課題を解決することであり、物体の重さを量ることができる携帯端末及び該携帯端末で物体の重さを量る方法を提供することである。
【課題を解決するための手段】
【０００５】
本発明に係る携帯端末は、互いに向かい合っている上層部の透明導電性薄膜及び下層部の透明導電性薄膜を有する抵抗膜式タッチパネルと、物体の重力方向を検知し、前記抵抗膜式タッチパネルと物体の重力方向との間の角度を計算する重力感応モジュールと、前記抵抗膜式タッチパネルに加える圧力の大きさを表示する、前記抵抗膜式タッチパネルの上層部の透明導電性薄膜と下層部の透明導電性薄膜との間の接触点の接触抵抗値を検出する検出モジュールと、前記接触点の接触抵抗値及び前記抵抗膜式タッチパネルと物体の重力方向との間の角度によって、前記抵抗膜式タッチパネルに放置した物体の重さを計算する計算モジュールと、物体の重さを前記抵抗膜式タッチパネルに表示する数値表示モジュールと、を備える。
【０００６】
本発明に係る物体の重さを量る方法は、互いに向かい合っている上層部の透明導電性薄膜及び下層部の透明導電性薄膜を有する抵抗膜式タッチパネル及び重力感応モジュールを備える携帯端末に応用され、前記抵抗膜式タッチパネルに加える圧力の大きさを表示する、前記抵抗膜式タッチパネルの上層部の透明導電性薄膜と下層部の透明導電性薄膜との間の接触点の接触抵抗値を検出するステップと、前記接触点の接触抵抗値及び前記重力感応モジュールによって計算された前記抵抗膜式タッチパネルと物体の重力方向との間の角度によって、前記抵抗膜式タッチパネルに放置した物体の重さを計算するステップと、物体の重さを前記抵抗膜式タッチパネルに表示するステップと、を有する。
【発明の効果】
【０００７】
本発明の携帯端末は、その抵抗膜式タッチパネルの接触点の接触抵抗値及び前記抵抗膜式タッチパネルと物体の重力方向との間の角度によって、前記抵抗膜式タッチパネルに放置した物体の重さを計算する。従って前記携帯端末の抵抗膜式タッチパネルを利用して、物体の重さを精確に量ることができ、且つ前記携帯端末は携帯性に優れているので、随時に物体の重さを量ることができる。
【図面の簡単な説明】
【０００８】
【図１】本発明の実施形態に係る携帯端末の斜視図である。
【図２】本発明の実施形態に係る携帯端末のブッロク図である。
【図３】本発明の実施形態に係る携帯端末で物体の重さを量る方法のフローチャートである。
【発明を実施するための形態】
【０００９】
図１及び図２を参照すると、本発明の実施形態に係る携帯端末１０は、抵抗膜式タッチパネル１１と、検出モジュール１２と、重力感応モジュール１３と、計算モジュール１４と、数値表示モジュール１５と、を備える。
【００１０】
前記抵抗膜式タッチパネル１１は、圧力感応を利用して制御するタッチパネルであり、互いに向かい合っている上層部の透明導電性薄膜及び下層部の透明導電性薄膜を備え、前記抵抗膜式タッチパネル１１に一定値以上の圧力が加えられた時、上層部の透明導電性薄膜及び下層部の透明導電性薄膜は押圧位置で接触されて接触点を生じる。
【００１１】
前記検出モジュール１２は、前記抵抗膜式タッチパネル１１の上層部の透明導電性薄膜と下層部の透明導電性薄膜との間の接触点の接触抵抗値を検出するために用いられる。前記接触点の接触抵抗値は、前記抵抗膜式タッチパネル１１に加える圧力の大きさを表示し、以下の数式（１）によって計算する。
【００１２】
Ｒｔｏｕｃｈ＝Ｒ２×（Ｚ２/Ｚ１−１）  ……（１）
【００１３】
Ｚ１は、前記抵抗膜式タッチパネル１１の上層部の透明導電性薄膜における前記接触点のＸ軸座標値であり、Ｚ２は、前記抵抗膜式タッチパネル１１の上層部の透明導電性薄膜における前記接触点のＹ軸座標値であり、Ｒ２は、前記接触点と前記抵抗膜式タッチパネル１１の下層部の透明導電性薄膜のＸ軸負電極との間の抵抗値である。Ｒ２は、以下の数式（２）によって計算する。
【００１４】
Ｒ２＝ＲＸ−ｐａｌｔｅ×Ｘｐｏｓｉｔｉｏｎ/４０９６  ……（２）
【００１５】
ＲＸ−ｐａｌｔｅは、前記抵抗膜式タッチパネル１１の下層部の透明導電性薄膜のＸ軸正電極とＸ軸負電極との間の抵抗値であり、ＲＸ−ｐａｌｔｅは、周知の要素であり、Ｘｐｏｓｉｔｉｏｎは、前記抵抗膜式タッチパネル１１の下層部の透明導電性薄膜における前記接触点のＸ軸座標値である。
【００１６】
前記重力感応モジュール１３は、物体の重力方向を検知し、また前記抵抗膜式タッチパネル１１と物体の重力方向との間の角度を計算する。
【００１７】
前記計算モジュール１４は、前記接触点の接触抵抗値及び前記抵抗膜式タッチパネル１１と重力方向との間の角度によって、前記抵抗膜式タッチパネル１１に放置した物体の重さを計算する。前記計算モジュール１４は、格納ユニット１４１及び計算ユニット１４２を備える。前記格納ユニット１４１は、異なる接触抵抗値に対応する圧力値を格納するために用いられ、前記計算ユニット１４２は、現在の接触抵抗値に対応する圧力値及び前記抵抗膜式タッチパネル１１と物体の重力方向との間の角度によって、物体の重さを計算する。例えば、前記抵抗膜式タッチパネル１１面と物体の重力方向との間の角度をθ、現在の接触抵抗値に対応する圧力値をＦ、物体の重さをＭ、重力加速度をｇとすると、Ｍ＝Ｆ/（ｇ×sinθ）である。
【００１８】
前記数値表示モジュール１５は、物体の重さを前記抵抗膜式タッチパネル１１に表示する。
【００１９】
図２及び図３を参照すると、前記携帯端末１０によって物体の重さを量る方法は、以下のステップを有する。
【００２０】
ステップＳ３０１：前記検出モジュール１２は、前記抵抗膜式タッチパネル１１の上層部の透明導電性薄膜と下層部の透明導電性薄膜との間の接触点の接触抵抗値を検出する。
【００２１】
ステップＳ３０２：前記計算モジュール１４は、前記接触点の接触抵抗値及び前記抵抗膜式タッチパネル１１と物体の重力方向との間の角度によって、前記抵抗膜式タッチパネル１１に放置した物体の重さを計算する。具体的には、前記計算モジュール１４の計算ユニット１４２は、前記格納ユニット１４１から現在の接触抵抗値に対応する圧力値を読み取り、前記計算ユニット１４２は、前記圧力値及び前記抵抗膜式タッチパネル１１と物体の重力方向との間の角度によって、物体の重さを計算する。
【００２２】
ステップＳ３０３：前記数値表示モジュール１５は、物体の重さを表示する。
【００２３】
本発明の実施形態において、前記携帯端末１０は、前記抵抗膜式タッチパネル１１の接触点の接触抵抗値及び前記抵抗膜式タッチパネル１１と物体の重力方向との間の角度によって、前記抵抗膜式タッチパネル１１に放置した物体の重さを計算する。このように前記携帯端末１０の前記抵抗膜式タッチパネル１１を利用して、物体の重さを精確に量ることができ、且つ前記携帯端末１０は携帯性に優れているので、随時に物体の重さを量ることができる。
【００２４】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２５】
１０  携帯端末
１１  抵抗膜式タッチパネル
１２  検出モジュール
１３  重力感応モジュール
１４  計算モジュール
１５  数値表示モジュール
１４１  格納ユニット
１４２  計算ユニット
【図１】
2012173289.tif 000003
【図２】
2012173289.tif 000004
【図３】
2012173289.tif 000005